(57)【特許請求の範囲】
【請求項１】
吸引源；
一対の処置具挿通チャンネル；
上記一対の処置具挿通チャンネルを周方向の異なる位置に連通させる円筒状の内周面を有し、かつ吸引源に連通する連通空間；
上記連通空間の円筒状内周面に摺接する円筒状外周面を有し、連通空間の内周面に沿う回動により、吸引源を上記一対の処置具挿通チャンネルの何れか一方に切替連通させる二つの片方連通状態と、吸引源を一対の処置具挿通チャンネルの双方に連通させる双方連通状態とに切替動作可能な流路切替弁；及び
上記流路切替弁が上記二つの片方連通状態のそれぞれにあるとき、吸引源に連通している一方の処置具連通チャンネルとは別の他方の処置具挿通チャンネルを、該一方の処置具挿通チャンネルと吸引源との連通面積より小さい連通面積で吸引源に連通させる、流路切替弁の外周面の周方向の両端部に形成した一対の凹部よりなる吸引力調整流路；
を備えたことを特徴とする内視鏡の吸引切替機構。
【請求項２】
請求項１記載の内視鏡の吸引切替機構において、上記一方の処置具挿通チャンネルと吸引源との連通面積を１００としたとき、上記小さい連通面積は５〜１０である内視鏡の吸引切替機構。
【発明の詳細な説明】
【０００１】
【技術分野】
本発明は、内視鏡の吸引切替機構に関する。
【０００２】
【従来技術及びその問題点】
医療用内視鏡で吸引を行う際に、誤って吸引対象でない体内組織を吸引してしまい、陰圧が粘膜に直接に作用することがある。このとき吸引力が大きいと粘膜部分が出血したり、いわゆる吸引ダコが生じるおそれがある。出血が起こると病変部の診断が難しくなり、また吸引ダコはポリープとの区別がつきにくいため、いずれの場合も検査に支障をきたす。
【０００３】
特に、吸引チャンネルとしても使用可能な処置具挿通チャンネルを２つ備え、この２つのチャンネルの間に吸引源との連通状態を切り替える流路切替弁を備えたいわゆる２チャンネル式の内視鏡では、流路切替弁によりいずれか一方のチャンネルの吸引力を遮断したときに、他方のチャンネルに作用する吸引力が過大にならないようにすることが望まれている。
【０００４】
【発明の目的】
本発明は、処置具挿通チャンネルによる過度吸引を防ぐことが可能な内視鏡の吸引切替機構を提供することを目的とする。
【０００５】
【発明の概要】
本発明の内視鏡の吸引切替機構は、吸引源；一対の処置具挿通チャンネル；一対の処置具挿通チャンネルを周方向の異なる位置に連通させる円筒状の内周面を有し、かつ吸引源に連通する連通空間；この連通空間の円筒状内周面に摺接する円筒状外周面を有し、連通空間の内周面に沿う回動により、吸引源を一対の処置具挿通チャンネルの何れか一方に切替連通させる二つの片方連通状態と、吸引源を一対の処置具挿通チャンネルの双方に連通させる双方連通状態とに切替動作可能な流路切替弁；及び、この流路切替弁が二つの片方連通状態のそれぞれにあるとき、吸引源に連通している一方の処置具連通チャンネルとは別の他方の処置具挿通チャンネルを、該一方の処置具挿通チャンネルと吸引源との連通面積より小さい連通面積で吸引源に連通させる、流路切替弁の外周面の周方向の両端部に形成した一対の凹部よりなる吸引力調整流路；を備えたことを特徴としている。
【０００６】
上記の片方連通状態において、吸引源に完全に連通している一方の処置具挿通チャンネルと吸引源との連通面積を１００としたとき、他方の処置具挿通チャンネルにおける吸引源との連通面積は５〜１０であることが望ましい。
【０００９】
【発明の実施の形態】
図１は、本発明を適用した内視鏡全体の外観を示している。この内視鏡は、内視鏡操作者が把持する把持操作部１１、観察対象内に挿入される挿入部１２、該挿入部１２と把持操作部１１を接続する連結部１３、把持操作部１１から延出されたユニバーサルチューブ１４を有している。挿入部１２は、先端部１２ａ、湾曲操作可能な湾曲部１２ｂ、及び可撓性を有する可撓管部１２ｃからなる。ユニバーサルチューブ１４の端部は、図示しないプロセッサに対して着脱可能なコネクタ１５となっている。
【００１０】
図２に示すように、挿入部１２内には２本の処置具挿通チャンネル２０Ａ、２０Ｂが配設されており、各処置具挿通チャンネル２０Ａ、２０Ｂの出口部が先端部１２ａに形成されている。一方、連結部１３に設けた処置具挿入口突起２１には、処置具挿通チャンネル２０Ａ、２０Ｂの入口部が形成されている。処置具挿入口突起２１内には処置具挿通チャンネル２０Ａと処置具挿通チャンネル２０Ｂを連通させる連通空間２２（図３参照）が形成されており、連通空間２２には吸引チャンネル２３が接続している。吸引チャンネル２３の途中には吸引シリンダ２４が設けられており、吸引チャンネル２３はさらに、吸引シリンダ２４からユニバーサルチューブ１４内に延設されてコネクタ１５に突設した吸引ニップル２５（図２）に開口している。吸引ニップル２５には吸引ポンプ（吸引源）２７から延設されたチューブが着脱可能であり、吸引ポンプを作動させることによって吸引チャンネル２３に陰圧をかけることができる。吸引シリンダ２４には、把持操作部１１の外面に突出する吸引ボタン２６が進退可能に支持されており、吸引ボタン２６を押圧しない状態では、吸引シリンダ２４を挟んで位置するユニバーサルチューブ１４側の吸引チャンネル２３と連通空間２２側の吸引チャンネル２３は、該吸引ボタン２６のピストンよって遮断され、連通空間２２には陰圧が作用しない。この状態では、吸引ボタン２６の頂部に形成した開口から外気が吸引される。一方、吸引ボタン２６の頂部開口を塞ぎながら吸引ボタン２６を押圧すると、この遮断が解除されて連通空間２２側に陰圧が作用する。
【００１１】
図３に示すように、処置具挿入口突起２１内に設けたチャンネル接続部材３０には、処置具挿通チャンネル２０Ａと処置具挿通チャンネル２０Ｂに連通する一対の中空管路（処置具挿通チャンネル）３１Ａ、３１Ｂが形成されている。詳細には、処置具挿通チャンネル２０Ａと処置具挿通チャンネル２０Ｂの端部に固定した硬質の中継チューブ３２Ａ、３２Ｂが、固定枠３３を介してチャンネル接続部材３０に接続され、該中継チューブ３２Ａ及び３２Ｂと固定枠３３に形成された流路が中空管路３１Ａと中空管路３１Ｂに連通する。また、中空管路３１Ａと中空管路３１Ｂの出口部にはそれぞれ、中空筒状の口金固定部材３４Ａ、３４Ｂが固定されており、各口金固定部材３４Ａ、３４Ｂに対して、ねじを介して筒状の口金突起３５Ａ、３５Ｂが固着されている。口金突起３５Ａ、３５Ｂが実質的に処置具挿通チャンネル２０Ａ、２０Ｂの入口部を構成しており、それぞれの処置具挿通チャンネル２０Ａ、２０Ｂには、処置具を挿入することができる。口金突起３５Ａ及び３５Ｂとチャンネル接続部材３０の間には、絶縁材料からなる口金固定部材３４Ａ、３４Ｂとゴムカバー３６が挟着されており、絶縁性を有するこれらの部材によって、金属材料からなるチャンネル接続部材３０が処置具挿入口突起２１の外面に露出することを防いでいる。また、口金突起３５Ａ、３５Ｂには、鉗子栓３９Ａ、３９Ｂ（図１）を着脱可能である。
【００１２】
チャンネル接続部材３０にはさらに、中空管路３１Ａと中空管路３１Ｂの間に前述の連通空間２２が形成されている。図３及び図５に示すように、連通空間２２は円筒状の内周面を有しており、この内周面の周方向に位置を異ならせて開口する一対の径方向連通路４１Ａ、４１Ｂが形成されている。径方向連通路４１Ａは中空管路３１Ａに、径方向連通路４１Ｂは中空管路３１Ｂに、それぞれ連通している。図５に示すように、連通空間２２の底部はチャンネル接続部材３０を貫通する開口となっており、この開口部に吸引チャンネル２３が接続している。
【００１３】
図４及び図５に示すように、チャンネル接続部材３０において連通空間２２の上方は内視鏡外面に向けて突出する円筒状突起として形成されており、処置具挿入口突起２１にはこの円筒状突起を外方に突出させる円形開口が形成されている。該円形開口の縁部には環状のフランジ凸部３７が形成され、該フランジ凸部３７の外縁部の一部を切除して回転規制凹部３８が形成されている。
【００１４】
処置具挿入口突起２１から突出するチャンネル接続部材３０の円筒状突起の内側は、連通空間２２に連続する中空状の弁部材挿入空間４２となっている。弁部材挿入空間４２は連通空間２２よりも内径が大きく、該連通空間２２と弁部材挿入空間４２の間に環状の弁部材挿入規制面４３が形成されている。また、チャンネル接続部材３０の円筒状突起の外周面側には、上端側から順に、周方向へのスナップリング係合環部４４（図５）と、環状の取付環挿入規制面４５と、Ｏリング４６を保持するためのＯリング保持溝４７が形成されている。図５のようにチャンネル接続部材３０を処置具挿入口突起２１に取り付ると、Ｏリング保持溝４７がフランジ凸部３７の内周側まで挿入され、処置具挿入口突起２１とチャンネル接続部材３０の間はＯリング４６によって液密に塞がれる。
【００１５】
処置具挿入口突起２１に対してチャンネル接続部材３０のみを装着した状態では、中空管路３１Ａと中空管路３１Ｂのいずれも連通空間２２に連通している。チャンネル接続部材３０には、処置具挿通チャンネル２０Ａ、２０Ｂへの陰圧の作用経路を制御するための吸引流路切替ダイヤル５０を着脱可能である。図５及び図６に示すように、吸引流路切替ダイヤル５０は、弁部材挿入空間４２に挿入される弁部材５１と、弁部材５１に固定され該弁部材５１と一体に回動するノブ５２と、該弁部材５１とノブ５２の間に位置する取付環５３とを備えている。弁部材５１、ノブ５２及び取付環５３はいずれも、合成樹脂の成形品である。
【００１６】
弁部材５１は、弁部材挿入空間４２の内径に対応する径の大径部５１ａと、この大径部５１ａと同心の小径軸部５１ｂを有しており、大径部５１ａから下方に向けて、所定の周方向長さを有する扇形断面の流路切替弁５５が突設されており、弁部材５１を弁部材挿入空間４２に挿入した状態では流路切替弁５５は連通空間２２に位置される。小径軸部５１ｂの先端部付近は、外周面の一部を切り欠いて周方向凹部５６が形成されており、非円形断面形状となっている。また、大径部５１ａの外周面には、Ｏリング５７を保持するためのＯリング保持溝５８が形成されている。
【００１７】
ノブ５２は、取付環５３に対向するディスク状部５２ａの下面側に、回転規制孔６０と、該回転規制孔６０を中心として周方向に位置を異ならせて配した４つのクリック凹部６１とが形成されている。また、回転規制孔６０の奥側にはねじ孔６２が形成されている。回転規制孔６０は、非円形断面に形成された小径軸部５１ｂの先端部が相対回動不能に嵌まる、非円形の内面形状を有している。
【００１８】
取付環５３は、同心状の大小の筒状部５３ａ、筒状部５３ｂと該筒状部の底部を構成するディスク状部５３ｃとを有する有底環体であり、ディスク状部５３ｃの表裏と小径の筒状部５３ａを貫通する円形の貫通孔６５を有している。該貫通孔６５の内周面には、回転角制御突起６６が突設されている。一方、取付環５３における外側の筒状部５３ｂの内周面にはスナップリング６７が保持されている。スナップリング６７は径方向に弾性変形可能であり、自由状態ではその内縁部が筒状部５３ｂの内周面よりも突出している。また、筒状部５３ｂにはディスク状部５３ｃと反対方向に向けて回転規制突起６８が突設されている。
【００１９】
図６に示すように、取付環５３のディスク状部５３ｃには、筒状部５３ａ及び５３ｂとは反対側を向く面側、すなわち内視鏡への装着時における外面側に、貫通孔６５を中心として周方向に等間隔で６つのクリック凸部６９が形成されている。６つのクリック凸部６９の形状は共通している。また取付環５３ｃのディスク状部５３ｃには、クリック凸部６９よりも外縁側に、周方向に等間隔で３つの回転位置指標７０が設けられている。
【００２０】
吸引流路切替ダイヤル５０を組み立てる際には、まず、取付環５３に対し、回転角制御突起６６が周方向凹部５６内に位置するように位相を合わせて、筒状部５３ａの先端開口側から貫通孔６５内に弁部材５１の小径軸部５１ｂを挿入する。すると、小径軸部５１の先端は取付環５３ｃのディスク状部５３ｃから突出する。このとき、図５に示すように、取付環５３ｃのディスク状部５３ｃと弁部材５１の大径部５１ａの間に圧縮コイルばね７１を予め挿入しておく。
【００２１】
続いて、取付環５３ｃのディスク状部５３ｃのうちクリック凸部６９が形成された面側にノブ５２を載せ、回転規制孔６０を弁部材５１の小径軸部５１ｂ先端に係合させる。回転規制孔６０と小径軸部５１ｂは非円形断面形状であり、その嵌合によってノブ５２と弁部材５１は相対回動不能に結合される。
【００２２】
さらに、弁部材５１を軸線方向に貫通するビス挿入孔７３に対してビス７２を挿入し、該ビス７２をノブ５２に設けたねじ孔６２に螺合させる。図５に示すように、ビス７２を最奥までねじ込むと、小径軸部５１ｂの先端が回転規制孔６０の底部に当接し、弁部材５１とノブ５２は相対回動のみならず軸線方向へも相対移動不能となる。
【００２３】
この状態で吸引流路切替ダイヤル５０は、小径軸部５１ｂの外周面が貫通孔６５の内周面に対して回動可能かつ軸線方向に移動可能に嵌っており、弁部材５１とノブ５２の結合体は、取付環５３に対して回動及び軸線方向移動が可能に支持される。なお、弁部材５１とノブ５２の結合体の最大回動角は、周方向凹部５６の両端面と回転角制御突起６６の当接によって制限される。
【００２４】
圧縮コイルばね７１は、吸引流路切替ダイヤル５０を組んだ状態で軸線方向に圧縮されており、該圧縮を解除しようとする復元力によって、弁部材５１を図５中の下方へ付勢する。該付勢力は、弁部材５１を介してノブ５２に伝わり、ノブ５２は取付環５３（ディスク状部５３ｃ）に接近する方向へ付勢される。すなわち、ノブ５２側のクリック凹部６１と取付環５３のクリック凸部６９を係合させる方向へ付勢力が作用しており、該クリック凹部６１とクリック凸部６９の係合関係によって、取付環５３に対するノブ５２及び弁部材５１の回動が規制される（クリックストップされる）。前述したように、結合された弁部材５１とノブ５２は、取付環５３に対して相対回動のみならず軸線方向にも移動可能であり、ノブ５２に一定以上の回動力が加わると、各クリック凹部６１の周方向端面がクリック凸部６９を乗り越えてノブ５２が取付環５３から持ち上げられ、クリックストップが解除される。そしてノブ５２と共に、弁部材５１も圧縮コイルばね７１を圧縮させながら持ち上がる。ノブ５２が所定角度回転すると、各クリック凹部６１が次に対応するクリック凸部６９の位置に達し、圧縮コイルばね７１の付勢力によってクリック凹部６１がクリック凸部６９に係合される。
【００２５】
以上のようにサブアッシされた吸引流路切替ダイヤル５０は、取付環５３に設けた回転規制突起６８が処置具挿入口突起２１側の回転規制凹部３８に係合する角度位置をもって、チャンネル接続部材３０に取り付けられる。回転規制突起６８と回転規制凹部３８の係合により、取付環５３は処置具挿入口突起２１に対し回転不能となる。また、取付環５３の内周面に設けたスナップリング６７がスナップリング係合環部４４に係合することで、チャンネル接続部材３０に対して取付環５３が軸線方向に抜け止められる。チャンネル接続部材３０に対する取付環５３の最大挿入位置は、取付環挿入規制面４５によって規制される。
【００２６】
取付環５３をチャンネル接続部材３０に取り付けたとき、図５のように弁部材５１の大径部５１ａは弁部材挿入空間４２内に挿入され、流路切替弁５５が連通空間２２内に位置する。流路切替弁５５は、連通空間２２の内周面に対応する径の円筒面状の外周面を有し、この外周面を連通空間２２の内周面に摺接させて回動することができる。流路切替弁５５の内周面は、いずれの回転位置においても吸引チャンネル２３を塞がない円筒面形状とされている（図３、図５参照）。
【００２７】
流路切替弁５５を有する弁部材５１は、チャンネル接続部材３０に対して一定の回転角（回転規制された取付環５３の回転角制御突起６６が周方向凹部５６の両端壁面に当接するまでの間隔）で回動可能であり、連通空間２２内に挿入された流路切替弁５５はこの弁部材５１の回動に応じて、径方向連通路４１Ａと径方向連通路４１Ｂのいずれにも面さない位置（双方連通状態：図７）、径方向連通路４１Ａに対向する位置（片方連通状態：図８）、及び径方向連通路４１Ｂに対向する位置（片方連通状態：図９）に移動される。弁部材５１は、前述のクリック機構により図７ないし図９に示す３つの回動位置において係止される。なお、流路切替弁５５が図７ないし図９のいずれの回転位置にあるときも、チャンネル接続部材３０と弁部材５１の間はＯリング５７によって液密に塞がれているため、連通空間２２内に吸引された流体は、弁部材挿入空間４２を通って外部へ漏出することはない。
【００２８】
さらに図３、図６ないし図９に示すように、略扇形をなす流路切替弁５５の周方向の両端部には、外周面の一部を切り欠いて一対の吸引力調整用凹部（吸引力調整流路）８１Ａ及び８１Ｂが形成されている。
【００２９】
以上の構造において、図７の双方連通状態では、流路切替弁５５が径方向連通路４１Ａと径方向連通路４１Ｂを完全に開いているため、吸引チャンネル２３からの陰圧が遮られることなく、処置具挿通チャンネル２０Ａと処置具挿通チャンネル２０Ｂの双方に均等に吸引力が作用する。つまり、処置具挿通チャンネル２０Ａと処置具挿通チャンネル２０Ｂの両方を用いた吸引作業が可能である。
【００３０】
処置具挿通チャンネル２０Ａと処置具挿通チャンネル２０Ｂのいずれか一方を吸引用の管路として使用し、他方に処置具を挿入する場合には、ノブ５２を回動操作して流路切替弁５５を図８または図９の位置に移動させる。例えば、図８の位置では流路切替弁５５が径方向連通路４１Ａ、すなわち処置具挿通チャンネル２０Ａを概ね塞ぐため、吸引ポンプ２７と連通される他方の処置具挿通チャンネル２０Ｂ側で吸引操作を行うようになる。
【００３１】
ところで、流路切替弁５５の外周面の周方向一端部には吸引力調整用凹部８１Ａが形成されており、流路切替弁５５が図８の片方連通位置に係止されたときに、径方向連通路４１Ａと連通空間２２の間には吸引力調整用凹部８１Ａによって若干の隙間が確保されている。言い換えれば、流路切替弁５５が、処置具挿通チャンネル２０Ａに続く径方向連通路４１Ａを不完全に閉じており、処置具挿通チャンネル２０Ａと連通空間２２の間に若干の流体流通が可能となっている。この不完全に閉塞された処置具挿通チャンネル２０Ａによって、処置具挿通チャンネル２０Ｂ側での陰圧調整が可能となる。例えば、処置具挿通チャンネル２０Ｂを介しての吸引操作中に誤って体内粘膜を吸引してしまった場合、そのままの状態では過度な吸引力が作用するおそれがあるが、吸引力調整用凹部８１Ａによって他方の処置具挿通チャンネル２０Ａ側にも吸引ポンプ２７との小さな連通面積が確保されていることにより、この処置具挿通チャンネル２０Ａ側に陰圧を逃がすことができる。よって、処置具挿通チャンネル２０Ｂで過度吸引が発生することがなく、体内粘膜のダメージや吸引ダコの発生を防ぐことができる。
【００３２】
吸引力調整用凹部８１Ａは、その連通面積が過大であると処置具挿通チャンネル２０Ｂ側での吸引力が落ち、かつ処置具挿通チャンネル２０Ａ側で不要な微吸引が生じる原因となる。逆に吸引力調整用凹部８１Ａの連通面積が小さすぎると、上述した陰圧逃がし用流路として機能しない。そのため、吸引力調整用凹部８１Ａの連通面積は適切に設定されている。具体的には、処置具挿通チャンネル２０Ｂ（中空管路３１Ｂ）と吸引ポンプ２７（連通空間２２）との連通面積（径方向連通路４１Ｂ）を１００としたとき、吸引力調整用凹部８１Ａの連通面積は、５〜１０になるように設定されている。
【００３３】
また、流路切替弁５５の外周面の周方向他端部には、別の吸引力調整用凹部８１Ｂが形成されている。そのため、図９のように流路切替弁５５を径方向連通路４１Ｂの閉じ位置に回動させて処置具挿通チャンネル２０Ａを用いて吸引を行う場合も同様に、他方の処置具挿通チャンネル２０Ｂによって、処置具挿通チャンネル２０Ａの陰圧を調整することが可能である。すなわち、流路切替弁５５が図９の片方連通位置にあるときには、吸引力調整用凹部８１Ｂによって連通空間２２と径方向連通路４１Ｂの間で少量の流体流通が可能となっており、処置具挿通チャンネル２０Ａ側に過度な吸引力が作用し得るような場合に、吸引力調整用凹部８１Ｂを通して処置具挿通チャンネル２０Ｂ側に陰圧を逃がすことができる。先の吸引力調整用凹部８１Ａと同様に、処置具挿通チャンネル２０Ａ（中空管路３１Ａ）と吸引ポンプ２７（連通空間２２）との連通面積（径方向連通路４１Ａ）を１００としたとき、吸引力調整用凹部８１Ｂの連通面積は、５〜１０になるように設定されている。
【００３４】
以上のように、本実施形態の内視鏡では、各処置具挿通チャンネル２０Ａ及び２０Ｂ（中空管路３１Ａ及び３１Ｂ）と連通空間２２との間に、流路切替弁５５の外周面の一部を切り欠いて、径方向連通路４１Ａ及び４１Ｂより小さな連通面積の吸引力調整用凹部８１Ａ及び８１Ｂを形成し、吸引源と連通される一方の処置具挿通チャンネルとは反対側の処置具挿通チャンネルに吸引源の陰圧を逃がすことを可能としたので、過度吸引による体内粘膜の損傷や、吸引ダコの発生を回避することができる。
【００３６】
なお、本発明は図示実施形態に限定されるものではない。例えば、図示実施形態では、流路切替弁５５を移動及び係止させる操作部材として吸引流路切替ダイヤル５０を用いているが、吸引流路切替ダイヤル５０とは異なる構造の操作部材を用いてもよい。
【００３７】
【発明の効果】
以上から明らかなように、本発明によれば、処置具挿通チャンネルによる過度吸引を防ぐことが可能な内視鏡の吸引切替機構が得られる。
【図面の簡単な説明】
【図１】  本発明を適用した吸引流路切替ダイヤルを有する内視鏡の外観図である。
【図２】  図１の内視鏡における流体流通路の概要を示す内部構造図である。
【図３】  図１の内視鏡の処置具挿入口突起の平面方向の断面図である。
【図４】  処置具挿入口突起から流路切替ダイヤルを取り外した状態の平面図である。
【図５】  吸引流路切替ダイヤル付近の断面図である。
【図６】  吸引流路切替ダイヤルの分解斜視図である。
【図７】  流路制御弁が２つの処置具挿通チャンネルの両方を開いた状態を示す図である。
【図８】  流路制御弁が一方の処置具挿通チャンネルを閉じた状態を示す図である。
【図９】  流路制御弁が他方の処置具挿通チャンネルを閉じた状態を示す図である。
【符号の説明】
１１  把持操作部
１２  挿入部
１３  連結部
１４  ユニバーサルチューブ
１５  コネクタ
２０Ａ  ２０Ｂ  処置具挿通チャンネル
２１  処置具挿入口突起
２２  連通空間
２３  吸引チャンネル
２４  吸引シリンダ
２５  吸引ニップル
２６  吸引ボタン
２７  吸引ポンプ（吸引源）
３０  チャンネル接続部材
３１Ａ  ３１Ｂ  中空管路（処置具挿通チャンネル）
３２Ａ  ３２Ｂ  中継チューブ
４１Ａ  ４１Ｂ  径方向連通路
５０  吸引流路切替ダイヤル
５１  弁部材
５２  ノブ
５３  取付環
５５  流路切替弁
６１  クリック凹部
６９  クリック凸部
７０  回転位置指標
８１Ａ  ８１Ｂ  吸引力調整用凹部（吸引力調整流路）
【図１】
0004056760.tif 000002
【図２】
0004056760.tif 000003
【図３】
0004056760.tif 000004
【図４】
0004056760.tif 000005
【図５】
0004056760.tif 000006
【図６】
0004056760.tif 000007
【図７】
0004056760.tif 000008
【図８】
0004056760.tif 000009
【図９】
0004056760.tif 000010